(57)【特許請求の範囲】
【請求項１】
一対の筐体がスライドモジュールを介して互いにスライド可能に連結され、スライドモジュールは、閉じ位置と開き位置の間で互いにスライド可能に係合するベース板とスライド板を具え、ベース板が一方の筐体に固定されると共に、スライド板が他方の筐体に固定されており、前記一方の筐体には、スライドモジュールのスライド板が閉じ位置及び開き位置の少なくとも一方の位置に達した状態で該スライド板に摺接すべき端子部材が配備されているスライド型電子機器において、
前記一方の筐体にはボスが突設され、前記端子部材は、スライドモジュールのスライド板が前記少なくとも一方の位置に達した状態で該スライド板に摺接すべき導通部と、該導通部と一体に形成されて導通性を有するストッパー部とを具え、該ストッパー部は、前記ボスの表面を覆って前記ボスに係止されており、スライドモジュールのスライド板が前記少なくとも一方の位置に達したときに該スライド板の端部が前記ストッパー部に当接して、該スライド板のスライドが受け止められることを特徴とするスライド型電子機器。
【請求項２】
スライドモジュールのスライド板の両側部には、スライド方向に延びる左右一対のスライド部が形成され、該一対のスライド部がベース板の両側部にスライド可能に係合し、前記一方の筐体には、前記一対のスライド部が閉じ位置に達したときに各スライド部の一方の端部が当接すべき２つの位置と、前記一対のスライド部が開き位置に達したときに各スライド部の他方の端部が当接すべき２つの位置のそれぞれに、前記端子部材が配備されている請求項１に記載のスライド型電子機器。
【請求項３】
前記ボスは樹脂製である請求項１又は請求項２に記載のスライド型電子機器。
【発明の詳細な説明】
【技術分野】
【０００１】
本発明は、一対の筐体が互いにスライド可能に係合したスライド型電子機器に関するものである。
【背景技術】
【０００２】
従来、第１筐体に対して第２筐体がスライド可能に係合したスライド型電子機器が知られており(特許文献１)、例えば図１５に示すスライド型電子機器においては、下側の筐体(８)と上側の筐体(図示省略)とがスライドモジュール(９)によって互いにスライド可能に連結されている。
【０００３】
スライドモジュール(９)は、ベース板(91)に対してスライド板(92)がスライド可能に係合して構成されており、ベース板(91)が下側の筐体(８)に固定されると共に、スライド板(92)が上側の筐体に固定されている。
【０００４】
図１６に示す如く、筐体(８)上には、スライドモジュール(９)のスライド板(92)と摺接して両筐体間の電気的導通を図るべき端子部材(81)と、スライド板(92)をスライド完了位置で受け止めるためのストッパー(82)とが配備されている。
【０００５】
上記スライド型電子機器においては、図１７に示す如くスライドモジュール(９)のスライド板(92)がスライド完了位置に達する直前では、スライドモジュール(９)のスライド板(92)と端子部材(81)とは互いに離間しているが、図１８に示す如く更にスライド板(92)がスライド完了位置に向かってスライドすることにより、スライド板(92)が端子部材(81)と摺接し、その後、スライド板(92)がスライド完了位置に達すると、スライド板(92)が端子部材(81)と摺接したまま、ストッパー(82)に当接して、それ以上のスライドが受け止められる。
【先行技術文献】
【特許文献】
【０００６】
【特許文献１】特開２００９−３２０９８号公報
【発明の概要】
【発明が解決しようとする課題】
【０００７】
しかしながら、図１５〜図１８に示す従来のスライド型電子機器においては、端子部材(81)とストッパー(82)とが別個に設けられているため、部品点数が多くなる問題があった。
そこで本発明の目的は、部品点数の削減が可能なスライド型電子機器を提供することである。
【課題を解決するための手段】
【０００８】
本発明に係るスライド型電子機器においては、第１筐体(１)と第２筐体(２)とがスライドモジュール(３)を介して互いにスライド可能に連結され、スライドモジュール(３)は、閉じ位置と開き位置の間で互いにスライド可能に係合するベース板(31)とスライド板(32)を具え、ベース板(31)が第２筐体(２)に固定されると共に、スライド板(32)が第１筐体(１)に固定されている。
又、第２筐体(２)上には、スライドモジュール(３)のスライド板(32)が閉じ位置及び開き位置の少なくとも一方の位置に達した状態で該スライド板(32)に摺接すべき端子部材(41)が配備されている。
【０００９】
ここで端子部材(41)は、スライドモジュール(３)のスライド板(32)が前記少なくとも一方の位置に達した状態で該スライド板(32)に摺接すべき導通部(42)と、該導通部(42)と一体に形成されたストッパー部(43)とを具え、該ストッパー部(43)は、第２筐体(２)に形成された係止受け部に係止されており、スライドモジュール(３)のスライド板(32)が前記少なくとも一方の位置に達したときに該スライド板(32)を受け止める。
【発明の効果】
【００１０】
本発明に係るスライド型電子機器によれば、端子部材(41)に導通部(42)とストッパー部(43)とが一体に形成されているので、端子部材とは別個にストッパーが配備されていた従来の電子機器と比較して、部品点数の削減を図ることが出来る。
【図面の簡単な説明】
【００１１】
【図１】図１は、本発明の一実施形態であるスライド型電子機器の閉じた状態を示す斜視図である。
【図２】図２は、該スライド型電子機器の閉じた状態を裏返して示す斜視図である。
【図３】図３は、該スライド型電子機器の開いた状態を示す斜視図である。
【図４】図４は、該スライド型電子機器の開いた状態を裏返して示す斜視図である。
【図５】図５は、該スライド型電子機器の分解斜視図である。
【図６】図６は、図５とは上下逆関係におけるスライド型電子機器の分解斜視図である。
【図７】図７は、スライドモジュールの閉じ位置における斜視図である。
【図８】図８は、スライドモジュールの開き位置における斜視図である。
【図９】図９は、第２筐体の斜視図である。
【図１０】図１０は、第２筐体から４つの端子部材を分解した状態を示す斜視図である。
【図１１】図１１は、閉じ位置直前における第２筐体上のスライドモジュールと端子部材の関係を示す斜視図である。
【図１２】図１２は、閉じ位置における第２筐体上のスライドモジュールと端子部材の関係を示す斜視図である。
【図１３】図１３は、閉じ位置直前におけるスライドモジュールと端子部材の関係を示す断面図である。
【図１４】図１４は、閉じ位置におけるスライドモジュールと端子部材の関係を示す断面図である。
【図１５】図１５は、従来のスライド型電子機器における筐体上のスライドモジュールを示す斜視図である。
【図１６】図１６は、同上の要部を拡大して示す斜視図である。
【図１７】図１７は、従来のスライド型電子機器の閉じ位置直前におけるスライドモジュールと端子部材の関係を示す断面図である。
【図１８】図１８は、閉じ位置における同上の断面図である。
【発明を実施するための形態】
【００１２】
以下、本発明の実施の形態につき、図面に沿って具体的に説明する。
本発明の一実施形態であるスライド型電子機器は、図１〜図４に示す如く、第１筐体(１)と第２筐体(２)とを互いにスライド可能に連結して構成され、図１及び図２に示す閉じ状態と、図３及び図４に示す開き状態との間で、開閉が可能である。
【００１３】
図３の如く第１筐体(１)の表面には複数の操作キー(11)が配備される一方、第２筐体(２)の表面には画面(21)が配備されており、閉じ状態と開き状態で画面(21)の視認が可能であると共に、開き状態で操作キー(11)の操作が可能となる。
図２及び図４の如く、第１筐体(１)の背面には、透明樹脂板からなる撮影窓(44)が設けられると共に、放音孔(17)が開設されている。
【００１４】
図５及び図６に示す如く、第１筐体(１)は、フロントキャビネット(12)とバックキャビネット(13)とを互いに接合して構成され、バックキャビネット(13)の背面には電池蓋(16)が取り付けられる。
フロントキャビネット(12)は、インサート成型によって互いに一体化された樹脂成型部(14)とインサート板金部(15)とから構成される。
【００１５】
第１筐体(１)の内部には、電池(10)と、アンテナモジュール(４)と、基板アセンブリ(５)とが収容される。基板アセンブリ(５)は、シールド板(51)と回路基板(52)とから構成される。
尚、フロントキャビネット(12)とバックキャビネット(13)とは複数本のビス(72)を用いて互いに締結される。
【００１６】
第２筐体(２)は、フロントキャビネット(22)とバックキャビネット(23)とを互いに接合して構成され、フロントキャビネット(22)の表面には、液晶表示モジュール(６)が設置され、該液晶表示モジュール(６)を覆って、前記画面(21)を形成する透明板からなるスクリーン(61)が固定される。
【００１７】
第２筐体(２)の内部には、液晶表示モジュール(６)を第１筐体(１)内の回路基板(52)と接続するためのフレキシブルリード(55)が配備される。
尚、フロントキャビネット(22)とバックキャビネット(23)とは複数本のビス(71)を用いて互いに締結される。
【００１８】
そして、第１筐体(１)のフロントキャビネット(12)と第２筐体(２)のバックキャビネット(23)とがスライドモジュール(３)によって互いにスライド可能に連結される。
【００１９】
スライドモジュール(３)は、図７及び図８に示す如く、金属製のベース板(31)と、該ベース板(31)に対してスライド可能に係合する金属製のスライド板(32)と、ベース板(31)に対してスライド板(32)をスライド方向に沿う双方向へ付勢するスプリング(33)とから構成される。
【００２０】
スライド板(32)の両側部には、左右一対のスライド部(35)(35)が形成され、該一対のスライド部(35)(35)がベース板(31)の両側部にスライド可能に係合している。ベース板(31)の両側部には、スライド板(32)が開き位置から閉じ位置に達したときにスライド板(32)のスライド部(35)(35)の端部が当接すべき２つのフランジ部(36)(36)が突設されている。
【００２１】
斯くして、スライド板(32)は、図７に示す閉じ位置と図８に示す開き位置との間で往復移動し、スプリング(33)によって中間位置から各位置へ向かって付勢される。
【００２２】
スライドモジュール(３)のベース板(31)は図５及び図６に示す第２筐体(２)のバックキャビネット(23)に固定され、スライドモジュール(３)のスライド板(32)は第１筐体(１)のフロントキャビネット(12)に固定される。
【００２３】
スライドモジュール(３)のスライド板(32)は、複数本のビス(７)によって、第１筐体(１)のフロントキャビネット(12)に固定される。具体的には、スライド板(32)の外周部に沿って分散する複数箇所にて、複数本のビス(７)が第１筐体(１)のフロントキャビネット(12)のインサート板金部(15)から、スライドモジュール(３)のスライド板(32)にねじ込まれる。
【００２４】
図９及び図１０に示す如く、第２筐体(２)には、その四隅に、ステンレス鋼製のバネ板からなる４つの端子部材(41)〜(41)が設置される。
端子部材(41)は、図１１及び図１２に示す如く、スライドモジュール(３)のスライド板(32)が閉じ位置又は開き位置に達した状態で該スライド板(32)に摺接すべき導通部(42)と、該導通部(42)と一体に形成されたストッパー部(43)とを具えている。
【００２５】
端子部材(41)のストッパー部(43)は、図１３及び図１４に示す様に、第２筐体(２)のバックキャビネット(23)に突設された合成樹脂製のボス(24)に係止されている。
【００２６】
図１３に示す如く、スライドモジュール(３)のスライド板(32)が開き位置から閉じ位置に向かってスライドし、閉じ位置に達する直前では、スライドモジュール(３)のスライド板(32)と端子部材(41)の導通部(42)とは互いに離間しているが、図１４に示す如く更にスライド板(32)が閉じ位置に向かってスライドすることにより、スライド板(32)が端子部材(41)の導通部(42)と摺接すると共に、スライド板(32)が閉じ位置に達することにより該スライド板(32)の端部がストッパー部(43)に当接して、それ以上のスライドが受け止められる。
【００２７】
また同様に、スライドモジュール(３)のスライド板(32)が閉じ位置から開き位置に向かってスライドし、開き位置に達する直前では、スライドモジュール(３)のスライド板(32)と端子部材(41)の導通部(42)とは互いに離間しているが、更にスライド板(32)が開き位置に向かってスライドすることにより、スライド板(32)が端子部材(41)の導通部(42)と摺接すると共に、スライド板(32)が開き位置に達することにより該スライド板(32)の端部がストッパー部(43)に当接して、それ以上のスライドが受け止められる。
【００２８】
上記スライド型電子機器によれば、図１及び図２に示す閉じ状態でスライドモジュール(３)のスライド板(32)が２つの端子部材(41)(41)の導通部(42)(42)と摺接して、両筐体(１)(２)間の電気的導通が図られると共に、図３及び図４に示す開き状態でスライドモジュール(３)のスライド板(32)が他の２つの端子部材(41)(41)の導通部(42)(42)と摺接して、両筐体(１)(２)間の電気的導通が図られる。
【００２９】
上述の如く、端子部材(41)には、導通部(42)とストッパー部(43)とが一体に形成されているので、従来の如くストッパーを端子部材とは別個に配備する構成と比較して、部品点数を４つ削減することが可能である。
【００３０】
又、落下などによって第１筐体(１)に対して第２筐体(２)が開き状態から閉じ状態まで勢いよくスライドした場合、図７に示すスライド板(32)のスライド部(35)の端部がベース板(31)のフランジ部(36)に衝突して、この部分に変形が生じる虞があり、開き状態でこの変形部分が露出してしまう問題があるが、上記スライド型電子機器によれば、先ずスライド板(32)が端子部材(41)のストッパー部(43)によって受け止められることにより衝撃力が吸収されるので、ベース板(31)とスライド板(32)との衝突による変形が防止される。
【００３１】
特に閉じ位置にてスライドモジュール(３)のスライド板(32)が摺接すべき端子部材(41)については、該端子部材(41)のストッパー部(43)によってスライド板(32)を受け止めた直後に、スライド板(32)のスライド部(35)がベース板(31)のフランジ部(36)に当接する構成を採用することにより、上述の衝撃力の作用を分散させることが出来るので、ベース板(31)とスライド板(32)との衝突による変形を効果的に防止することが出来る。
【００３２】
尚、本発明の各部構成は上記実施の形態に限らず、特許請求の範囲に記載の技術的範囲内で種々の変形が可能である。例えば、本発明は、第１筐体(１)と第２筐体(２)とが入れ替わった構成、即ち、スライドモジュール(３)のベース板(31)が第１筐体(１)に固定されると共に、スライド板(32)が第２筐体(２)に固定されているスライド型電子機器に実施することも可能である。
【符号の説明】
【００３３】
(１)  第１筐体
(12)  フロントキャビネット
(13)  バックキャビネット
(14)  樹脂成型部
(15)  インサート板金部
(18)  フック受け部
(２)  第２筐体
(22)  フロントキャビネット
(23)  バックキャビネット
(24)  ボス
(３)  スライドモジュール
(31)  ベース板
(32)  スライド板
(33)  スプリング
(35)  スライド部
(36)  フランジ部
(41)  端子部材
(42)  導通部
(43)  ストッパー部
(５)  基板アセンブリ
(52)  回路基板
【図１】
0005725973.tif 000002
【図２】
0005725973.tif 000003
【図３】
0005725973.tif 000004
【図４】
0005725973.tif 000005
【図５】
0005725973.tif 000006
【図６】
0005725973.tif 000007
【図７】
0005725973.tif 000008
【図８】
0005725973.tif 000009
【図９】
0005725973.tif 000010
【図１０】
0005725973.tif 000011
【図１１】
0005725973.tif 000012
【図１２】
0005725973.tif 000013
【図１３】
0005725973.tif 000014
【図１４】
0005725973.tif 000015
【図１５】
0005725973.tif 000016
【図１６】
0005725973.tif 000017
【図１７】
0005725973.tif 000018
【図１８】
0005725973.tif 000019